(57)【要約】      （修正有）【課題】多重気密防水防引張のケーブル固定コネクタを提供する。【解決手段】多重気密防水防引張のケーブル固定コネクタ１００は、固定部材１０、少なくとも１つの接続部材２０、外蓋３０、第１パッキング組４０、少なくとも１つの第２パッキング組５０を含み、固定部材１０は、所定物に固定し、１つ又は複数の接続部材２０により、固定部材１０、外蓋３０の間に螺合され、内部に第１パッキング組４０、第２パッキング組５０を設置し、外蓋３０、接続部材２０により第１パッキング組４０、第２パッキング組５０を圧迫し、変形を発生させ、その中に貫通設置するケーブル９０に少なくとも二重のパッキング密封作用を与え、ケーブル９０は、接続部材２０の外部の保護及び複数のパッキング組のパッキング密封作用を増加したことにより多重の保護、多重の気密防水防引張の効果を有し、防水係数ＩＰ値を向上させる。【選択図】図６
0003192145.tif 000002
【実用新案登録請求の範囲】
【請求項１】
１つの所定物体に設置されることに用いられ、１つの中空管部材であり、第１外ねじ山を含む１つの固定部材と、
第２外ねじ山、軸方向に貫通する１つの第１孔、及び相対する一側の第２孔、該第１孔内壁面に形成される１つの第１傾斜面、及び該第１孔内壁面に形成される第１内ねじ山を含み、該第１内ねじ山は、該固定部材の第１外ねじ山と螺合する少なくとも１つの接続部材と、
軸方向に貫通する１つの貫通孔、該貫通孔内壁面に形成される１つの第２傾斜面、及び該貫通孔内壁面に形成される第２内ねじ山を含み、該第２内ねじ山は、該第２外ねじ山と螺合する１つの外蓋と、
該固定部材内部及び該接続部材の第１孔中に設けられ、１つの第１パッキングリング及び該第１パッキングリングに被せ設けられる１つの第１挟持爪を含み、該第１パッキングリングは、軸方向に貫通する１つの第１通孔を含む１つの第１パッキング組と、
該外蓋の貫通孔及び該接続部材の第２孔中に設けられ、１つの第２パッキングリング及び該第２パッキングリングに被せ設けられる１つの第２挟持爪を含み、該第２パッキングリングは、軸方向に貫通する１つの第２通孔を含む第２パッキング組と、
を含み、該第２パッキング組及び該第１パッキング組の構造が同一であり、且つ交換使用することができる多重気密防水防引張のケーブル固定コネクタ。
【請求項２】
前記固定部材は、一部分の第３外ねじ山及び１つのブロック部を含み、該ブロック部は、該第１外ねじ山、該第３ねじ山の間に設けられ、該ケーブル固定コネクタは、更に、１つのロック部材を含み、該ロック部材は、該固定部材の第３外ねじ山に螺合され、該固定部材が１つの外部所定物に貫通設置される時、該ロック部材は、該ブロック部に合わせて固定部材を該所定物に固定する請求項１に記載の多重気密防水防引張のケーブル固定コネクタ。
【請求項３】
前記第１パッキング組の第１パッキングリングは、１つの凸縁を有し、該第１挟持爪の一側は、該凸縁に当接し、該第１パッキングリングの外周面上に１つの頸部を形成し、該第１挟持爪は、更に複数の爪部を含み、該頸部に嵌め込むことに用いる複数のパッキング凸部は、該爪部の内側面上に形成され、該第１パッキング組の第１挟持爪は、更に、該接続部材の第１傾斜面に当接することに用いる１つの第３傾斜面を含み、該第３傾斜面は、該爪部の外端縁上に形成される請求項２に記載の多重気密防水防引張のケーブル固定コネクタ。
【請求項４】
前記第２パッキング組の第２パッキングリングは、１つの凸縁を有し、該第２挟持爪の一側は、該凸縁に当接し、該第２パッキングリングの外周面上に１つの頸部を形成し、該第２挟持爪は、更に複数の爪部を含み、該頸部に嵌め込むことに用いる複数のパッキング凸部が該爪部の内側面上に形成され、該第２パッキング組の第２挟持爪は、該外蓋の第２傾斜面に当接することに用いる１つの第４傾斜面を更に含み、該第４傾斜面は、該爪部の外端縁上に形成され、該第１挟持爪は、固定部材の第１外ねじ山内側に形成され、該第２挟持爪は、接続部材の第２外ねじ山内側に形成される請求項２に記載の多重気密防水防引張のケーブル固定コネクタ。
【請求項５】
前記接続部材は、２つであり、該接続部材の間は、該第２外ねじ山、該第１内ねじ山の螺合によって相互に接続され、
該第２パッキング組は、２つであり、それぞれ該外蓋の貫通孔及び該接続部材の第２孔中に結合する請求項１乃至４の何れか１項に記載の多重気密防水防引張のケーブル固定コネクタ。
【請求項６】
前記接続部材は、３つ又は４つ以上であり、該接続部材の間は、第２外ねじ山、該第１内ねじ山の螺合により相互に接続され、該第２パッキング組は、３つ又は４つ以上であり、それぞれ該外蓋の貫通孔及び該接続部材の第２孔中に対応して結合され、該第１挟持爪は、固定部材の第１外ねじ山内側に形成され、該第２挟持爪は、接続部材の第２外ねじ山内側に形成される請求項１乃至４の何れか１項に記載の多重気密防水防引張のケーブル固定コネクタ。
【考案の詳細な説明】
【技術分野】
【０００１】
本考案は、固定コネクタに関し、特に、ケーブルに多重保護及び多重パッキング密封作用を与えることができる多重気密防水防引張ケーブル固定コネクタに関する。
【背景技術】
【０００２】
電気ケーブルは、通常、電気ボックス、機器及び電信、ネットワーク通信ボックス等に使用され、電気ケーブルは、外力を受けて引っ張られ易く、固定ヘッドの接続位置が緩み、変位、脱落し易く、水が電気ケーブルに沿って電気ボックス又は機器又は電信、ネットワーク通信ボックスに浸水する状況を発生し易い。
【０００３】
従って、業者は、ケーブルを固定することに用いることができる固定コネクタを研究開発しており、例えば、中華民国専利第３３８５７２号「ケーブル固定ヘッドの改良」、第Ｍ３５７１１１号「防水防引張ケーブルコネクタの外付けボックス」、第Ｍ３９１２２３号「防水リングを有するケーブル固定ヘッド」、第Ｍ３９３９０６号「ケーブル及び波管に対する双パッキングの防水固定ヘッド」があり、該現有構造は、接続環、挟持爪、パッキングリング、外蓋を有し、そのうち、接続環は、所定の物体、例えば、マシンボードを固定することに用い、且つ接続環は、外蓋と螺合し、挟持爪は、パッキングリングと一体状に被せ設けられ、外蓋中に設けられ、それは、外蓋を利用し、挟持爪、パッキングリングを圧迫し、それに変形を発生させ、ケーブル線に挟持引締め作用を形成させ、この挟持引締め作用を利用し、電気ケーブルの固定を達成し、同時に防水の目的を兼ね備える。
【０００４】
しかしながら、上記の現有構造は、外部からみて、多くとも接続環、外部で電気ケーブルを保護する外蓋を有するだけであり、且つ内部は、多くともただ１つのパッキングリングを有し、電気ケーブルを挟持締め付けるだけであり、即ち、ただ一重の挟持締め付け作用のみを有し、電気ケーブルに対して一重の定位を行うことのみでき、このように、上記の現有構造は、更に多重の保護作用を具えず、多重の挟持締め付け作用を具えず、電気ケーブルは、更に良好な保護を受けて効率的に固定されることができず、電気ケーブルがただ一重に固定される不安定を有する以外に、その電気ケーブルは、更に、引っ張られて脱落し易く、且つこの種の構造の防水性は良好でない。
【０００５】
上記第Ｍ３９１２２３号「防水リングを有するケーブル固定ヘッド」、第Ｍ３９３９０６号「ケーブル及び波管に対する双パッキングの防水固定ヘッド」の２つの現有構造において、そのパッキングリングは、第１パッキング部、第２パッキング部により、それぞれ波管、電気ケーブルを堅く締め付け、双パッキングの効果を達成し、但し、第１パッキング部、第２パッキング部は、２つのパッキングリング上にそれぞれ形成されるのではなく、一体に１つのパッキングリン上に形成され、それは、一体の構造に互いに連なっているので、波管、電気ケーブルのうち１つの外力作用を受けて引っ張られて、緩む時、通常、第１パッキング部、第２パッキング部の挟持締め付け作用に同時に影響を及ぼし、実質上、ただ一重の挟持締め付け作用のみを有する。
【０００６】
また、上記の現有構造は、動的な機械、戸外で強風外力に引っ張られる環境、深水環境、高い爆発性ガス環境に用いる場合、より高い所定の防水係数ＩＰ（INTERNATION PROTECTION）値を具備する必要があるが、上記の現有構造に基づき、それは、ただ一重の電気ケーブル挟持締め付け作用のみを有し、動的な機械及び上記該環境に応用することができず、実用性が良好でない。
【０００７】
以上の記載を綜合し、何れの電気ボックスの外殻も１つのケーブルを出す孔において、同一の電気ケーブルに対して、１つのケーブル固定コネクタを設置することのみできるが、１つの現有のケーブル固定コネクタは、その制限上、１組の固定部材を安置することのみ可能であり、１組の固定部材は、１組の「気密」及び「防水」及び「防引張」機能を発揮することのみ可能である。
【先行技術文献】
【特許文献】
【０００８】
【特許文献１】特開平１０−３０２８８５号公報
【考案の概要】
【考案が解決しようとする課題】
【０００９】
本考案の目的は、１つ又は１つ以上の接続部材により固定部材、外蓋の間に螺合され、第１パッキング組、第２パッキング組を設置し、ケーブルに多重の保護及び多重のパッキング密封作用を与える多重気密防水防引張のケーブル固定コネクタを提供することにある。
【００１０】
本考案のもう１つの目的は、防水係数ＩＰ値を向上させ、捩れ抵抗、耐震動、動的機械、戸外の強風外力に引っ張られる環境、深水環境、高い爆発性ガス環境等に適用可能な利点を兼ね備え、実用性が良好な多重気密防水防引張のケーブル固定コネクタを提供することにある。
【課題を解決するための手段】
【００１１】
上記の目的を達成する為、本考案が提供する技術試案は、以下である：
１つの固定部材、少なくとも１つの接続部材、１つの外蓋、１つの第１パッキング組、少なくとも１つの第２パッキング組を含み、そのうち、該固定部材は、１つの所定物体に設置されることに用い、該固定部材は、１つの中空管部材であり、該固定部材は、第１外ねじ山を含み、該接続部材は、第２外ねじ山、軸方向に貫通する１つの第１孔、及び相対する一側の第２孔、該第１孔内壁面に形成される１つの第１傾斜面、及び該第１孔内壁面に形成される第１内ねじ山を含み、該第１内ねじ山は、該固定部材の第１外ねじ山と螺合し、該外蓋は、軸方向に貫通する１つの貫通孔、該貫通孔内壁面に形成される１つの第２傾斜面、及び該貫通孔内壁面に形成される第２内ねじ山を含み、該第２内ねじ山は、該第２外ねじ山と螺合し、該第１パッキング組は、該固定部材内部及び該接続部材の第１孔中に設けられ、該第１パッキング組は、１つの第１パッキングリング及び該第１パッキングリングに被せ設けられる１つの第１挟持爪を含み、該第１パッキングリングは、軸方向に貫通する１つの第１通孔を含み、該第２パッキング組は、該外蓋の貫通孔及び該接続部材の第２孔中に設けられ、該第２パッキング組は、１つの第２パッキングリング及び該第２パッキングリングに被せ設けられる１つの第２挟持爪を含み、該第２パッキングリングは、軸方向に貫通する１つの第２通孔を含み、該第２パッキング組及び該第１パッキング組の構造が同一であり、且つ交換使用することができる。
【００１２】
これにより、ケーブルが本考案のケーブル固定コネクタに貫通設置される時、固定部材、外蓋の間に接続部材及び第１パッキング組を追加したことにより、波管外部に対して単独で一重固定の気密、防水、防引張を形成することができ、外蓋単独でパッキングリングを圧迫し、ケーブルを固定し、それぞれもう一重の固定の気密、防水、防引張を形成し、更に、水分、灰塵等の異物が外から内へ先ず外蓋のパッキングリングで阻隔され、極めて少ない該水分、灰塵等の異物がパッキングリングを経過した後、第１パッキング組により阻隔され、少なくとも二重のパッキング密封作用を形成し、多重の保護、気密、防水、防引張の効果を有し、これは、現有技術のケーブル固定コネクタがただ一重の気密防水防引張の効果のであることと区別され、本考案は、防水係数ＩＰ値を向上し、且つ捩れ抵抗、耐震動、動的機械、戸外の強風外力で引っ張られる環境、深水環境、高い爆発性ガス環境に適合できる等の利点を兼ね備える。
【考案の効果】
【００１３】
本考案の有益効果は、以下である：
現有のケーブル固定コネクタと比較し、その構造の利点は、新規的な接続部材を追加したケーブル固定コネクタであり、「気密」及び「防水」及び「防引張」機能を追加し、１つのケーブルが出る孔において、同一の電気ケーブルに対して複数組の接続部材を追加することができ、新規的な接続部材を一組追加するごとに一組の「気密」及び「防水」及び「防引張」機能を増加させることができ、同様に、現有のケーブル固定コネクタのケー物及び波管の結合が多重の「気密」及び「防水」及び「防引張」を達成することができない問題を克服し、本考案は、性能を大幅に向上し、巨大な外力の破壊を受ける更に劣悪な環境中に応用することができる。
【００１４】
このように、本考案は、気密性能の応用において、各工業の要求に応じて、より多層に気密性の大気圧力に耐える新規的な接続部材を追加し、爆発的な気圧の通過に耐えることができる。
【００１５】
本考案は、防水性能の応用において、各工業の要求に応じて、より多層的に水密性の水圧力に耐える新規的接続部材を追加し、機器をより深い水領域に沈めることができる。
【００１６】
本考案は、防引張力の性能の応用において、各工業の要求に応じて、より多層的な防引張力性を得る新規的接続部材を追加し、機器の電気ケーブルが外力の衝撃を受けて緩んで失効することを防止する。
【図面の簡単な説明】
【００１７】
【図１】本考案の立体図である。
【図２】本考案の断面図である。
【図３】本考案の断面図である。
【図４】本考案の使用実施例の断面図である。
【図５】本考案の接続部材、第２パッキングの数量を増加させた実施例の立体図である。
【図６】本考案の接続部材、第２パッキングの数量を増加させた実施例の断面図である。
【図７】本考案の実施例の説明図である。
【考案を実施するための形態】
【００１８】
以下に具体的実施例を挙げ、且つ図面に合わせて詳細な説明を行い、本考案の各項の機能、特長を更に理解、認識できるようにする。
【００１９】
図１〜図４に示すように、本考案の多重気密防水防引張のケーブル固定コネクタ１００は、所定物体、例えば、電気ボックス、機器及び電信、ネットワーク通信ボックス等のマシンボード８０上に設置されることに用い、中空管部材であり、第１外ねじ山１１を含む固定部材１０と、第２外ねじ山２１、軸方向に貫通する第１孔２２、及び相対する一側の第２孔２５、第１孔内２２壁面に形成される第１傾斜面２３、及び第１内ねじ山２４を含み、第１内ねじ山２４は、第１外ねじ山１１と螺合する接続部材２０と、軸方向に貫通する貫通孔３１、貫通孔３１内壁面に形成される第２傾斜面３２、及び貫通孔３１内壁面に形成される第２内ねじ山３３を含み、第２内ねじ山３３は、第２外ねじ山２１と螺合する外蓋３０と、固定部材１０内部及び接続部材２０の第１孔２２中に設けられ、第１パッキングリング４１及び第１パッキングリング４１に被せ設けられる第１挟持爪４２を含み、第１パッキングリング４１は、軸方向に貫通する第１通孔４１１を含む第１パッキング組４０と、外蓋３０の貫通孔３１及び接続部材２０の第２孔２５中に設けられ、第２パッキングリング５１及び第２パッキングリング５１に被せ設けられる第２挟持爪５２を含み、第２パッキングリング５１は、軸方向に貫通する第２通孔５１１を含む第２パッキング組５０と、を含み、第２パッキング組５０及び第１パッキング組４０の構造が同一であり、且つ交換使用することができる。
【００２０】
これにより、ケーブル９０が本考案のケーブル固定コネクタ１００に貫通設置される時、固定部材１０、外蓋３０の間に接続部材２０及び第１パッキング組４０を追加したことにより、波管９１外部に対して単独で一重固定の気密、防水、防引張を形成することができ、外蓋３０単独でパッキングリングを圧迫し、ケーブル９０を固定し、それぞれもう一重の固定の気密、防水、防引張を形成し、更に、水分、灰塵等の異物が外から内へ先ず外蓋３０のパッキングリング５０で阻隔され、極めて少ない該水分、灰塵等の異物がパッキングリング５０を経過した後、第１パッキング組４０により阻隔され、少なくとも二重のパッキング密封作用を形成し、多重の保護、気密、防水、防引張の効果を有し、これは、現有技術のケーブル固定コネクタがただ一重の気密防水防引張の効果のであることと区別される。
【００２１】
図２〜図４に示すように、実施例において、該固定部材１０は、第３外ねじ山１２及びブロック部１３を有し、ブロック部１３は、第１外ねじ山１１、第３外ねじ山１２の間に設けられ、本考案の多重気密防水防引張のケーブル固定コネクタ１００は、ロック部材６０を含み、ロック部材６０は、内ねじ山６１を有し、固定部材１０の第３外ねじ山１２に螺合氏、これにより、固定部材１０がマシンボード８０を貫通設置した後、該ロック部材６０がブロック部１３に合わせて固定部材１０をマシンボード８０に固定することができる。
【００２２】
これに基づき、ブロック部１３、ロック部材６０のマシンボード８０二側におけるラッチ制限作用、及びロック部材６０の螺合ロック作用により、固定部材１０をマシンボード８０に安定して固定し、引っ張り力を受ける時、容易に軸方向に移動することがなく、引張を防止する。
【００２３】
実施例において、該固定部材１０は、ブロック部１３、第３外ねじ山１２の間に位置するラッチ溝１４を有し、防水パッド７０をラッチ溝１４に被せる。
【００２４】
これに基づき、防水パッド７０もブロック部１３、マシンボード８０の間に位置し、且つ防水パッド７０は、通常、弾性材料であり、ロック部材６０が螺合ロックされる時のパッキング効果を増進させ、固定部材１０及びマシンボード８０の固定接続箇所が容易に緩まないようにし、密封漏れ防止の効果も有する。
【００２５】
また、防水パッド７０がラッチ溝１４に被さることにより、使用者は、固定部材１０を携帯し、施工過程中の該防水パッド７０が脱落することがなく、作業効率に対して必然的に補助効果を有する。
【００２６】
図２、図３に示すように、実施例において、該第１パッキング組４０は、弾性材質、例えば、ゴム、プラスチック、シリコーン材質等の何れか１種で形成される。
【００２７】
実施例において、該第２パッキング組５０は、弾性材質、例えば、ゴム、プラスチック、シリコーン等の何れか１種で形成される。
【００２８】
図２〜図４に示すように、実施例において、該第１パッキングリング４１は、凸縁４１２を有し、第１挟持爪４２の一側を凸縁４１２に当接させ、更に安定して圧迫させて該第１パッキング４１を挟持し、ケーブル９０を固定させる。
【００２９】
これに基づき、第１挟持爪４２が第１パッキングリング４１に被せ設けられる時、凸縁４１２は、制限定位の効果を有する。
【００３０】
また、該第１パッキングリング４１の外周面上に環状凹陥を有する頸部４１３を形成し、該第１挟持爪４２は、複数の爪部４２２を有し、複数のパッキング凸部４２３は、該爪部４２２の内側面上に形成され、パッキング部４２３を頸部４１３に嵌め込ませる。
【００３１】
これに基づき、第１挟持爪４２が圧迫を受けて爪部４２２を第１パッキングリング４１上にパッキングする時、第１パッキングリング４１の通孔４１１がケーブル９０に対して環面状のパッキング密封作用を与えることができ、且つ爪部４２２が第１パッキングリング４１にパッキングする時、点圧挟持の作用により、ケーブル９０表面で滑り難く、これは、タイヤの滑り止めパターンのグリップと同様である。
【００３２】
実施例において、該第１パッキング組４０の第１挟持爪４２は、第３傾斜面４２１を含み、第３傾斜面４２１は、爪部４２２の外端縁上に形成され、該第３傾斜面４２１は、該接続部材２０の第１傾斜面２３に当接することに用いられる。
【００３３】
これに基づき、図４を参照し、接続部材２０の第１傾斜面２３により第１挟持爪４２の第３傾斜面４２１を押圧し、第１パッキングリング４１、第１挟持爪４２を力を受けて変形させ締め付け状態を呈させる。
【００３４】
図２〜図４に示すように、実施例において、該第２パッキングリング５１は、凸縁５１２を有し、第２挟持爪５２の一側を凸縁５１２に当接させる。
【００３５】
これに基づき、第２挟持爪５２が第２パッキングリング５１に被せ設けられる時、凸縁５１２は、制限定位の効果を有する。
【００３６】
また、該第２パッキングリング５１の外周面上に環状凹陥を有する頸部５１３を形成し、第２挟持爪５２は、複数の爪部５２２を有し、第４傾斜面５２１は、爪部５２２の外端縁上に形成され、複数のパッキング凸部５２３は、該爪部５２２の内側面上に形成され、パッキング凸部５２３を頸部５１３に嵌め込まわせ、前記第１挟持爪４２は、該第２挟持爪５２と等しく且つ相互に交換使用でき、該第１パッキングリング４１及び第２パッキングリング５１は、同一であり、且つ交換使用することができる。
【００３７】
これに基づき、第２挟持爪５２が圧迫を受けて爪部５２２を第２パッキングリング５１上にパッキングする時、第２パッキングリング５１の通孔５１１がケーブル９０に対して環面状のパッキング密封作用を与えることができ、且つ爪部５２２が第２パッキングリング５１上にパッキングする時、点圧挟持の作用により、ケーブル９０表面で滑り難く、これは、タイヤの滑り止めパターンのグリップと同様である。
【００３８】
実施例において、該第２パッキング組５０の第２挟持爪５２は、更に、第４傾斜面５２１を含み、第４傾斜面５２１は、爪部５２２の外端縁上に形成され、該第４傾斜面５２１は、該外蓋３０の第２傾斜面３２に当接することに用いられる。
【００３９】
これに基づき、外蓋３０の第２傾斜面３２により、第２挟持爪５２の第４傾斜面５２１を押圧し、第２パッキングリング５１、第２挟持爪５２に力を受けて変形させ締め付け状態を呈させることができる。
【００４０】
上記は、本考案の各部材及びその組成保水器を紹介したが、続いて、本考案の使用の利点、効果を以下に紹介する。
【００４１】
図４に示すように、本考案及びケーブル９０を接続する時、ケーブル９０が外蓋３０の貫通孔３１から入り、ケーブル９０に第２パッキングリング５１の第２通孔５１１内及び第１パッキングリング４１の第１通孔４１１を経過させ、それから、固定部材１０を経過させ、ケーブル９０を堅く固定する時、外蓋３０を旋転させて締め付け（即ち、外蓋３０を接続部材２０の方法へ旋転させる）、外蓋３０の第２傾斜面３２に第２パッキング組５０の第２挟持爪５２の第４傾斜面５２１の押圧を開始させ、該第２パッキングリング５１に締め付け状態を呈し始めさせ、第２パッキングリング５１の力を受ける位置に変形を発生させて該ケーブル９０上に締め付けさせる。
【００４２】
接続部材２０を旋転して締める時（接続部材２０を固定部材１０の方向へ回転する）、同様に、接続部材２０の第１傾斜面２３に第１パッキング組４０の第１挟持爪４２の第３傾斜面４２１の押圧を開始させ、該第１パッキングリング４１に締め付け状態を呈し始めさせ、第１パッキングリング４１の力を受ける位置に変形を発生させて該ケーブル９０上に締め付けさせる。
【００４３】
これに基づき、ケーブル９０に第１パッキングリング４１、第２パッキングリング５１の圧迫を同時に受けさせ、少なくとも二重のパッキング防引張、二重の密封防水の効果を達成させることができ、ケーブルが外力の作用を受けて引っ張られて緩む状況を防止する。
【００４４】
また、ケーブル９０は、固定部材１０、外蓋３０  により外部的に保護される以外に、接続部材２０の外部的保護を追加し、保護の長さ、面積を伴って増加させ、多重保護の効果を有する。
【００４５】
総合して、本考案は、接続部材の追加及び複数のパッキング組のパッキング密封を応用し、多重保護、多重気密防水防引張の効果を発生し、本考案により生産される商品は、実務上現有技術に対して大幅な効果増進を発生させ、防水係数ＩＰ値を大幅に向上させることができ、その原理は、綱引きの原理のように、多くの人が綱を引くほど、その作用力は大きく、従って、本考案は、捩れ抵抗、耐震動等の利点を兼ね備え、動的機械に適用して使用する時、強力な振動により緩むことなく、また、戸外環境に適用する時、強風又は外力で引っ張られて緩むことを恐れる必要がなく、更に好適には、深水環境、高い爆発性ガス環境等に適用することができ、実用性が良好である。
【００４６】
また、提示すべきこととして、現有のケーブルを固定する構造は、通常、内部圧迫式ケーブル固定ヘッドであり、本考案は、外部圧迫式ケーブル固定ヘッドに改良し、親水環境、高い爆発性ガス環境等のような大きな圧力環境において、良好な防水係数ＩＰ値を必要とする場合に、特に外部圧迫式ケーブル固定ヘッドの従来の構造観念を取り除き、本考案の外部圧迫式のケーブル固定ヘッド構造の重ね合わせ方式を新たに構成し、良好な防水係数ＩＰ値を達成し、劣悪な環境、例えば、深海等の強大な外力のケーブルの引っ張りの問題を克服する。
【００４７】
図５、図６に示すように、使用者が各工業の必要に応じて、接続部材２０、第２パッキング組５０の数量を追加することができる各種実施例を説明する。
【００４８】
実施例において、該接続部材２０は、２つのであり、該接続部材２０の間は、第２外ねじ山２１、第１内ねじ山２４の螺合により相互に接続する。該第２パッキング組５０は、２つであり、それぞれ外蓋３０の貫通孔３１及び該接続部材２０の第２孔２５中に結合され、その作用効果は、前記実施例と同一であり、三重の気密、防水、防引張の効果を形成し、該２つの接続部材２０又は第２パッキング組５０は、絶対的順序関係はなく、且つ相互に交換使用することができる。
【００４９】
実施例において、該接続部材２０は、３つであり、該接続部材２０の間は、第２外ねじ山２１、第１内ねじ山２４の螺合により相互に接続する。該第２パッキング組５０は３つであり、それぞれ外蓋３０の貫通孔３１及び該接続部材２０の第２孔２５中に結合され、その作用効果は、前記実施例と同一であり、四重の気密、防水、防引張の効果を形成し、該３つの接続部材２０又は第２パッキング組５０は、絶対的順序関係はなく、且つ相互に交換使用することができる。
【００５０】
実施例において、該接続部材２０は、複数を含み（これに制限するものではないが、４つ以上を含む実施例）、該接続部材２０の間は、第２外ねじ山２１、第１内ねじ山２４の螺合により相互に接続する。該第２パッキング組５０は、複数であり、それぞれ外蓋３０の貫通孔３１及び該接続部材２０の第２孔２５中に結合され、その作用効果は、前記実施例と同一であり、多重の気密、防水、防引張の効果を形成し、該複数の接続部材２０又は第２パッキング組５０は、絶対的順序関係はなく、且つ相互に交換使用することができる。
【００５１】
本考案の実施例において、図７を参照し、そのうち、該第１挟持爪４２は、固定部材１０の第１外ねじ山１１内側に形成され、即ち、該第１外ねじ山１１及び該第１挟持爪４２は、一体に成形されることができ、部材の数量及び組み立て工程を減少し、コストを節減することができ、その機能作用は、前記実施方式と同一であるので、ここでは再度記載しない。
【００５２】
本考案の実施例において、図７を参照し、そのうち、該第２挟持爪５２は、固定部材２０の第１外ねじ山２１内側に形成され、即ち、該第１外ねじ山２１及び該第１挟持爪５２は、一体に成形されることができ、部材の数量及び組み立て工程を減少し、コストを節減することができ、その機能作用は、前記実施方式と同一であるので、ここでは再度記載しない。
【００５３】
上記各実施例中の多重の気密防水防引張のケーブル固定ヘッド１００及びケーブル９０の接続時、ケーブル９０を外蓋３０の貫通孔３１から入り、ケーブル９０を第２パッキング組５０、接続部材２０、第１パッキング組４０、固定部材１０を経過し、接続部材２０により第２パッキング組５０にパッキング作用を発生させる原理、動作は、第１パッキング組４０と同一であるので、ここでは、再度記載しない。
【００５４】
これに基づき、接続部材２０及び第２パッキング組５０の追加により、「気密」及び「防水」及び「防引張」機能を追加し、多重の保護、多重の気密防水防引張の効果を増進し、このように、現有技術が解決することができない極端な高い爆発性ガス環境、数百ｍ以上の深海又は台風等の巨大な引っ張り力によるケーブルの破壊及び防水の問題を克服することができる。
【００５５】
以上の記載を綜合して、本考案は、少なくとも以下の機能の利点を有する：
１．１００％−ＩＰ６８値の防水で、沈水、水底環境に適用可能な防水防引張を達成することができる。
２．台風に遭遇し、外力が一般の閾値を超過する場合、固定力を倍増する。
３．抗動的、防水の効果を有する。
４．一般の防水防引張の極限を突破することができる。
５．ＵＬ標準の安全規定、例えば、電気機器ケーブルラッチ、コンセントが０．６ｍｍより大きく搖動してはならないことに適合する。
６．気密性が良好であり、流体が深水環境中に入り込むことを防止するか、爆発性ガスが侵入することを防止することができる。
【００５６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００５７】
１００  多重気密防水防引張のケーブル固定プラグ
１０  固定部材
１１  第１外ねじ山
１２  第３外ねじ山
１３  ブロック部
１４  ラッチ溝
２０  接続部材
２１  第２外ねじ山
２２  第１孔
２３  第１傾斜面
２４  第１内ねじ山
２５  第２孔
３０  外蓋
３１  貫通孔
３２  第２傾斜面
３３  第２内ねじ山
４０  第１パッキング組
４１  第１パッキングリング
４１１  第１通孔
４１２  凸縁
４１３  頸部
４２  第１挟持爪
４２１  第３傾斜面
４２２  爪部
４２３  パッキング凸部
５０  第２パッキング組
５１  第２パッキングリング
５１１  第２通孔
５１２  凸縁
５１３  頸部
５２  第２挟持爪
５２１  第４傾斜面
５２２  爪部
５２３  パッキング凸部
６０  ロック部材
７０  防水パッド
８０  マシンボード
９０  ケーブル
【図１】
0003192145.tif 000003
【図２】
0003192145.tif 000004
【図３】
0003192145.tif 000005
【図４】
0003192145.tif 000006
【図５】
0003192145.tif 000007
【図６】
0003192145.tif 000008
【図７】
0003192145.tif 000009